(57)【要約】      （修正有）【課題】傘の持ち手にクリップ機能を設えることで、傘専用取付金具を使用しないで手押し車等に、傘を保持できるようにした傘を提供する。【解決手段】傘本体１と中棒２と持ち手Ａ４とＢ５からなる傘であって、該持ち手はＪ字型で、中棒に接続された筒型の持ち手Ｂ５と、中棒に接続されていない筒型の持ち手Ａ４とにより構成する。持ち手Ａ４と持ち手Ｂ５をバネ７を備えた軸８で接続し、持ち手Ａ４と持ち手Ｂ５を握ると、その支点を軸に持ち手Ａ４と持ち手Ｂ５が回動し、持ち手Ａ４と持ち手Ｂ５の下方部が開き、持ち手Ａ４と持ち手Ｂ５の握りを緩めると、持ち手Ａ４と持ち手Ｂ５の下方部が閉じて物を挟めるようにしてクリップ機能付き傘を構成する。【選択図】図３
0003164792.tif 000002
【実用新案登録請求の範囲】
【請求項１】
傘本体（１）と中棒（２）と持ち手（３）からなる傘であって、その持ち手（３）はＪ字型で、中棒に接続された筒型の持ち手Ｂ（５）と、中棒に接続されていない筒型の持ち手Ａ（４）とからなり、それら上方部がバネ（７）を備えた軸（８）で接続され、持ち手Ａ（４）と持ち手Ｂ（５）を握ると、その支点を軸に持ち手Ａ（４）と持ち手Ｂ（５）が回動し、持ち手Ａ（４）と持ち手Ｂ（５）の下方部が開き、持ち手Ａ（４）と持ち手Ｂ（５）の握りを緩めると、持ち手Ａ（４）と持ち手Ｂ（５）の下方部が閉じて物を挟めるようにしたことを特徴とするクリップ機能付き傘。
【請求項２】
傘本体（１）と中棒（２）と持ち手（３）からなる傘であって、その持ち手はＪ字型で、持ち手Ａ（４）と中棒２に接続された持ち手Ｂ（５）でなり、持ち手Ａ（４）は円弧状の筒型で、一方は終端され、他端部はクリップの支点部（４１）と挟持部（４２）に略二股に分かれ、持ち手Ｂ（５）も略円弧状の筒型で、一方の端部は中棒２と接続され、他端部はクリップの支点部（５１）と挟持部（５２）に略二股に分かれ、持ち手Ａ（４）の支点部（４１）と持ちＢ（５）の支点部（５１）が、軸（８）で接続され、持ち手Ａ（４）と持ち手Ｂ（５）を握ると、その支点を軸に持ち手Ａ（４）と持ち手Ｂ（５）が回動し、夫々の挟持部（４２）挟持部（５２）が開き、持ち手Ａ（４）と持ち手Ｂ（５）の握りを緩めると軸（８）のバネ（７）により持ち手Ａ（４）と持ち手Ｂ（５）の挟持部（４２）（５２）が閉じて物を挟めるようにすることで、持ち手にクリップ機能を備えたことを特徴とするクリップ機能付き傘。
【請求項３】
持ち手Ａ（４）と持ち手Ｂ（５）の夫々の挟持部（４２）と挟持部（５２）の内側に滑り止め１０を備えたことを特徴とする請求項２に記載のクリップ機能付き傘。
【考案の詳細な説明】
【技術分野】
【０００１】
本考案は傘の持ち手にクリップ機能を備えた傘に関する。
【背景技術】
【０００２】
傘を手押し車等に取り付けるには傘専用の取付金具で取り付けられている。
【先行技術文献】
【特許文献】
【０００３】
【特許文献１】特開２００５−３２４７５１公報
【考案の概要】
【考案が解決しようとする課題】
【０００４】
傘を手押し車等に取り付けるには傘専用の取付金具をネジなどで固定することがおこなわれている。傘を他の手押し車や自転車等に取り付けたい場合は、取付金具を付け替える必要があった。
【課題を解決するための手段】
【０００５】
傘本体（１）と中棒（２）と持ち手（３）からなる傘であって、その持ち手（３）はＪ字型で、中棒に接続された筒型の持ち手Ｂ（５）と、中棒に接続されていない筒型の持ち手Ａ（４）とからなり、それら上方部がバネ（７）を備えた軸（８）で接続され、持ち手Ａ（４）と持ち手Ｂ（５）を握ると、その支点を軸に持ち手Ａ（４）と持ち手Ｂ（５）が回動し、持ち手Ａ（４）と持ち手Ｂ（５）の下方部が開き、持ち手Ａ（４）と持ち手Ｂ（５）の握りを緩めると、持ち手Ａ（４）と持ち手Ｂ（５）の下方部が閉じて物を挟めるようにしたことを特徴とするクリップ機能付き傘。
【０００６】
傘本体（１）と中棒（２）と持ち手（３）からなる傘であって、その持ち手はＪ字型で、持ち手Ａ（４）と中棒２に接続された持ち手Ｂ（５）でなり、持ち手Ａ（４）は円弧状の筒型で、一方は終端され、他端部はクリップの支点部（４１）と挟持部（４２）に略二股に分かれ、持ち手Ｂ（５）も略円弧状の筒型で、一方の端部は中棒２と接続され、他端部はクリップの支点部（５１）と挟持部（５２）に略二股に分かれ、持ち手Ａ（４）の支点部（４１）と持ちＢ（５）の支点部（５１）が、軸（８）で接続され、持ち手Ａ（４）と持ち手Ｂ（５）を握ると、その支点を軸に持ち手Ａ（４）と持ち手Ｂ（５）が回動し、夫々の挟持部（４２）挟持部（５２）が開き、持ち手Ａ（４）と持ち手Ｂ（５）の握りを緩めると軸（８）のバネ（７）により持ち手Ａ（４）と持ち手Ｂ（５）の挟持部（４２）（５２）が閉じて物を挟めるようにすることで、持ち手にクリップ機能を備えたことを特徴とするクリップ機能付き傘。
【０００７】
持ち手Ａ（４）と持ち手Ｂ（５）の夫々の挟持部（４２）と挟持部（５２）の内側に滑り止め１０を備えたことを特徴とする請求項２に記載のクリップ機能付き傘。
【考案の効果】
【０００８】
傘専用の取付金具を使用しなくても簡単に傘を手押し車等に取り付けできるようになる。
【図面の簡単な説明】
【０００９】
【図１】本考案のクリップ機能を備えた傘の構成（外観図）
【図２】本考案のクリップ機能を備えた傘の持ち手の作動状態（a）クリップを閉じた状態（b）クリップを開いた状態
【図３】本考案のクリップ機能を備えた傘の持ち手の構成
【考案を実施するための形態】
【００１０】
以下、本考案の実施形態について説明する。
図１は本考案のクリップ機能を備えた傘の全体構成（外観図）である。傘の持ち手３はJ字型で、物を挟むクリップ機能と従来の持ち手の機能も兼ね備える。
傘本体（１）と中棒（２）と持ち手（３）からなる傘であって、その持ち手（３）はＪ字型で、中棒に接続された筒型の持ち手Ｂ（５）と、中棒に接続されていない筒型の持ち手Ａ（４）とからなり、それら上方部がバネ（７）を備えた軸（８）で接続され、持ち手Ａ（４）と持ち手Ｂ（５）を握ると、その支点を軸に持ち手Ａ（４）と持ち手Ｂ（５）が回動し、持ち手Ａ（４）と持ち手Ｂ（５）の下方部が開き、持ち手Ａ（４）と持ち手Ｂ（５）の握りを緩めると、持ち手Ａ（４）と持ち手Ｂ（５）の下方部が閉じて物を挟めるクリップ機能を有する。
【００１１】
図２は本考案のクリップ機能を備えた傘の持ち手の作動状態を示す。（a）は持ち手３のクリップを閉じた状態、（b）は持ち手３のクリップを開いた状態である。
Ｊ字型の持ち手３は持ち手Ａ（４）と中棒２に接続された持ち手Ｂ（５）で構成する。
持ち手Ａ（４）は略円弧状の円筒で、一方は終端され、他端部は上方がクリップの支点部（４１）、下方が挟持部（４２）の略二股に分かれている。持ち手Ｂ（５）も略円弧状の円筒で、一方の端部は中棒２と接続され、他端部は上方がクリップの支点部（５１）、下方が挟持部（５２）の略二股に分かれている。持ち手Ａ（４）の支点部（４１）と持ち手Ｂ（５）の支点部（５１）が、バネを有する軸８で接続され、クリップ機能を備えるように接続されている。
【００１２】
傘をさすときは、図２（ａ）に示すように、持ち手Ｂ（５）を手で握って傘をさす。このとき持ち手Ａと持ち手Ｂの夫々の挟持部（４２）と挟持部（５２）が閉じており、支点部（４１）、挟持部（４２）、挟持部（４２）、挟持部（５２）が物を挟むためのクリップ空間（１１）を形成している。
傘のクリップ機能を用いるときは、図２（b）に示すＰ方向から持ち手Ａ（４）と持ち手Ｂ（５）を握ることで軸（８）を中心に、持ち手Ａと持ち手Ｂの夫々の挟持部（４２）（５２）が開き、持ち手Ａと持ち手Ｂの握りを緩めると持ち手Ａと持ち手Ｂの夫々の挟持部（４２）と挟持部（５２）が閉じる。このように持ち手３そのものがクリップ機能を有する。
【００１３】
図３は、本考案のクリップ機能を備えた傘の持ち手の構成図である。
持ち手Ａ（４）の支点部（４１）と持ち手Ｂ（５）の支点部（５１）には、夫々軸受け穴９を備え、両端を持ち手（３）で係止させたバネ７を通した軸（８）で接続してクリップとして機能するように構成している。通常はバネ（７）の力でクリップを閉じているが持ち手Ａ（４）と持ち手Ｂ（５）を握ると挟持部（４２）と挟持部（５２）が開き、手の握りを緩めると挟持部（４２）と挟持部（５２）が閉じる。
挟持部（４２）（５２）の内側には、滑り止め(１０)を備え、物を挟んだときに滑りにくくしている。
【００１４】
上記実施例では、持ち手Ａ（４）と持ち手Ｂ（５）の接続側は、支点部と挟持部の略二股に分かれた場合を示しているが、二股に分かれなく、持ち手Ａ（４）と持ち手Ｂ（５）を筒型とし、上方に支点部、下方を挟持部の役割を持たせてもよい。
【符号の説明】
【００１５】
１    傘本体
２    中棒
３    持ち手
４    持ち手Ａ
４１  支点部
４２  挟持部
５    持ち手Ｂ
５１  支点部
５２  挟持部
６    クリップ機構部
７    バネ
８    軸
９    軸受け穴
１０  滑り止め
１１  クリップ空間
【図１】
0003164792.tif 000003
【図２】
0003164792.tif 000004
【図３】
0003164792.tif 000005